(57)【特許請求の範囲】
【請求項１】
長手方向端部の側面視において、第１の網状面部、前記第１の網状面部から分岐して延びた第２の網状面部及び第３の網状面部を有し、前記第１の網状面部、前記第２の網状面部及び前記第３の網状面部が継ぎ目なく一体的に形成された帯状の部材であって、
前記第１の網状面部がかつらベースの基布の外縁部に取り付けられ、
前記第２の網状面部及び前記第３の網状面部が前記外縁部から外側に延びるように配置され、
前記第１の網状面部が前記基布と面で接しており、
前記第１の網状面部から前記第２の網状面部及び前記第３の網状面部が分岐した分岐点に対して、前記第１の網状面部が前記基布の内側方向に配置され、前記第２の網状面部及び前記第３の網状面部が前記基布の外側方向に配置されていることを特徴とする外縁部材。
【請求項２】
前記第２の網状面部及び前記第３の網状面部のうち、装着者の頭皮側に配置される網状面部が装着者の肌の色に近い色を有することを特徴とする請求項１に記載の外縁部材。
【請求項３】
長手方向と略直交する幅方向において、前記第２の網状面部及び前記第３の網状面部の幅寸法が異なることを特徴とする請求項１または２に記載の外縁部材。
【請求項４】
前記第２の網状面部及び前記第３の網状面部のうち、装着者の頭皮側に配置される網状面部の幅寸法が反対側に配置された網状面部の幅寸法よりも大きいことを特徴とする請求項３に記載の外縁部材。
【請求項５】
前記第１の網状面部に形成された網目の大きさと、前記第２の網状面部及び前記第３の網状面部に形成された網目の大きさとが異なることを特徴とする請求項１から４の何れか１項に記載の外縁部材。
【請求項６】
長手方向において、前記第２の網状面部及び前記第３の網状面部が交互に前記第１の網状面部から延びて形成されていることを特徴とする請求項１から５の何れか１項に記載の外縁部材。
【請求項７】
前記第１の網状面部から交互に延びた前記第２の網状面部及び前記第３の網状面部の長手方向の寸法が、前記第１の網状面部か離れるにつれて小さくなることを特徴とする請求項６に記載の外縁部材。
【請求項８】
長手方向の所定の間隔で、前記第１の網状面部に、前記第２の網状面部及び前記第３の網状面部に繋がる側と反対側の端部から所定の長さの切り込みが設けられていることを特徴とする請求項６または７に記載の外縁部材。
【請求項９】
請求項１から８の何れか１項に記載の外縁部材が取り付けられたかつらベース。
【請求項１０】
請求項９に記載のかつらベースに擬毛が植設されたかつら。
【発明の詳細な説明】
【技術分野】
【０００１】
本開示は、かつらベースの外縁部に取り付けられる外縁部材、外縁部材が取り付けられたかつらベース、及びかつらベースに擬毛が植設されたかつらに関する。
【背景技術】
【０００２】
擬毛が植設されてかつらとなるかつらベースでは、その外縁近傍において、かつらベースに植設された擬毛と自毛との間で毛割れが生じることがない自然な外観を得ることが望まれている。これに対処するため、かつらベースの基布の外縁近傍の上下面に網状の部材を取り付けたかつらベースが提案されている（例えば、特許文献１参照）。このかつらベースでは、基布の外縁近傍の上下面に取り付けられた網状の部材が、基布の外縁から外側に延びており、特に、上側の網状の部材が下側の網状の部材よりも外側へ延びて配置されている。このような構造により、下側の網状の部材に植設された擬毛が持ち上がるのを上側の網状の部材で抑えることができるので、擬毛と自毛との間の毛割れを抑制することができる。
【先行技術文献】
【特許文献】
【０００３】
【特許文献１】特開２０１７−１３７６０７号
【発明の概要】
【発明が解決しようとする課題】
【０００４】
しかしながら、特許文献１に記載の発明では、下側の網状の部材が基布の下側に配置されるので、外縁近傍で基布が持ち上がって、自毛と馴染まずに不自然な外観を呈する可能性がある。
【０００５】
本開示は、上記の課題を解決するものであり、かつらベースの基布の外縁部に取り付けられ、自毛と馴染んだ自然な外観を得ることができる外縁部材、この外縁部材が取り付けられたかつらベース、及びこのかつらベースに擬毛が植設されたかつらを提供することを目的とする。
【課題を解決するための手段】
【０００６】
上記の課題を解決するため、本開示の１つの実施態様に係る外縁部材は、
長手方向端部の側面視において、第１の網状面部、前記第１の網状面部から分岐して延びた第２の網状面部及び第３の網状面部を有し、前記第１の網状面部、前記第２の網状面部及び前記第３の網状面部が一体的に形成された帯状の部材であって、
前記第１の網状面部がかつらベースの基布の外縁部に取り付けられ、
前記第２の網状面部及び前記第３の網状面部が前記外縁部から外側に延びるように配置されている。
【０００７】
本開示の１つの実施態様に係るかつらは、
上記の外縁部材が取り付けられている。
【０００８】
本開示の１つの実施態様に係るかつらは、
上記のかつらベースに擬毛が植設されて形成されている。
【発明の効果】
【０００９】
本開示では、かつらベースの基布の外縁部に取り付けられ、自毛と馴染んだ自然な外観を得ることができる外縁部材、この外縁部材が取り付けられたかつらベース、及びこのかつらベースに擬毛が植設されたかつらを提供できる。
【図面の簡単な説明】
【００１０】
【図１】本開示の第１の実施形態に係る外縁部材を模式的に示す斜視図である。
【図２】図１の矢視Ａ−Ａ側面図であって、外縁部材をかつらベースの基布に取り付けたところを模式的に示す図である。
【図３】本開示の第２の実施形態に係る外縁部材を模式的に示す斜視図である。
【図４Ａ】図３の矢視Ｂ−Ｂ側面図であって、外縁部材をかつらベースの基布に取り付けたところを示し、特に、幅の狭い第２の網状面部が基布の上面側に配置された場合を模式的に示す図である。
【図４Ｂ】図３の矢視Ｂ−Ｂ側面図であって、外縁部材をかつらベースの基布に取り付けたところを示し、特に、幅の広い第３の網状面部が基布の上面側に配置された場合を模式的に示す図である。
【図５】本開示の第３の実施形態に係る外縁部材を模式的に示す斜視図である。
【図６】図５の矢視Ｃ−Ｃ側面図であって、外縁部材をかつらベースの基布に取り付けたところを模式的に示す図である。
【図７】本開示の第４の実施形態に係る外縁部材を模式的に示す斜視図である。
【図８Ａ】図７の矢視Ｄ−Ｄ側面図であって、外縁部材をかつらベースの基布に取り付けたところを示し、特に、幅の狭い第２の網状面部が基布の上面側に配置された場合を模式的に示す図である。
【図８Ｂ】図７の矢視Ｄ−Ｄ側面図であって、外縁部材をかつらベースの基布に取り付けたところを示し、特に、幅の広い第３の網状面部が基布の上面側に配置された場合を模式的に示す図である。
【図９Ａ】本開示の第５の実施形態に係る外縁部材の第１の例を模式的に示す斜視図である。
【図９Ｂ】本開示の第５の実施形態に係る外縁部材の第２の例を模式的に示す斜視図である。
【図１０】本開示の第６の実施形態に係る外縁部材の第１の例を模式的に示す斜視図である。
【図１１Ａ】本開示の第６の実施形態に係る外縁部材の第１の例を模式的に示す平面図である。
【図１１Ｂ】本開示の第６の実施形態に係る外縁部材の第２の例を模式的に示す平面図である。
【図１１Ｃ】本開示の第６の実施形態に係る外縁部材の第３の例を模式的に示す平面図である。
【図１２】本開示の第１の実施形態に係る外縁部材が取り付けられたかつらベースに擬毛が植設されて形成されたかつらを模式的に示す図である。
【発明の詳細な説明】
【００１１】
以下、図面を参照しながら、本開示を実施するための実施形態や実施例を説明する。なお、以下に説明する外縁部材、かつらベース及びかつらは、本開示の技術思想を具体化するためのものであって、特定的な記載がない限り、本開示を以下のものに限定しない。
各図面中、同一の機能を有する部材には、同一符号を付している場合がある。要点の説明または理解の容易性を考慮して、便宜上実施形態や実施例に分けて示す場合があるが、異なる実施形態や実施例で示した構成の部分的な置換または組み合わせは可能である。後述の実施形態や実施例では、前述と共通の事柄についての記述を省略し、異なる点についてのみ説明する。特に、同様の構成による同様の作用効果については、実施形態や実施例ごとには逐次言及しないものとする。各図面が示す部材の大きさや位置関係等は、説明を明確にするため、誇張して示している場合もある。
【００１２】
(第１の実施形態に係る外縁部材）
はじめに、図１、図２を参照ながら、本開示の第１の実施形態に係る外縁部材の説明を行う。図１は、本開示の第１の実施形態に係る外縁部材を模式的に示す斜視図である。図２は、図１の矢視Ａ−Ａ側面図であって、外縁部材をかつらベースの基布に取り付けたところを模式的に示す図である。
【００１３】
本実施形態に係る外縁部材２は、帯状の部材である。図１の矢印Ａに示すような、帯状の外縁部材２の長手方向端部の側面視において、第１の網状面部４、第１の網状面部４から二股に分かれて延びた第２の網状面部６及び第３の網状面部８を有する。第１の網状面部４、第２の網状面部６及び第３の網状面部８は、Ｙ字形の側面形状を有するように一体的に形成されている。なお、第１の実施形態及び後述する第２の実施形態においては、長手方向と略直交する断面においても、一体的に形成されたＹ字形の断面形状を有する。
【００１４】
第１の実施形態では、帯状の外縁部材２の長手方向と略直交する幅方向において、第２の網状面部６及び第３の網状面部８の幅寸法がほぼ同一に形成されている。図視された外縁部材２では、第１の網状面部４の幅寸法が４ｍｍで、第２の網状面部６及び第３の網状面部８の幅寸法が７ｍｍとなっている。ただし、幅寸法をこれに限られるものではなく、例えば、第１の網状面部４の幅寸法として、３〜１０ｍｍを例示でき、第２の網状面部６及び第３の網状面部８の幅寸法として、４〜１５ｍｍを例示できる。
【００１５】
帯状の外縁部材２の長さは、かつらベースの基布Ｋを取り付ける領域に応じて、任意の寸法を採用できる。例えば、長いテープ状の外縁部材２を所望の長さに切断して使用することもできる。帯状の外縁部材２の具体的な長さとしては、かつらベースの基布Ｋの前側の領域に取り付ける場合には、３〜１５ｃｍ程度を例示することができる。なお、かつらベースの基布Ｋの外縁部の全周に外縁部材２を取り付けることもできる。
【００１６】
外縁部材２の形成方法としては、編組および経編といった編成が挙げられ、例えば、７０μｍ前後の太さのポリエステル糸を３本引き揃えて編み込んで、所望の大きさの網目を有する外縁部材２を形成することができる。一般的に人毛の太さが６０〜８０μｍ程度なので、７０μｍ前後の太さのポリエステル糸を用いることにより、かつらの装着者の自毛と馴染んだ自然な外観を得ることができる。
【００１７】
特に、本実施形態に係る外縁部材２では、第２の網状面部６及び第３の網状面部８が、第１の網状面部４から二股に分かれるように一体的に編み込まれている。つまり、外縁部材２は、第１の網状面部４、第１の網状面部４から分岐して延びた第２の網状面部６及び第３の網状面部８を有する。例えば、第１の網状面部４を形成する３本引き揃えの糸群のうち、隣接する一方の糸群が第２の網状面部６の方に延び、他方の糸群が第３の網状面部８の方に延びるようにすることにより、継ぎ目のない一体的な外縁部材２を形成できる。よって、第１の網状面部４、第２の網状面部６及び第３の網状面部８の間で、継ぎ目や結び目が存在せず、擬毛を植設して装着者の頭部に装着したとき、自然な外観を得ることができる。
ただし、本実施形態に係る外縁部材２は、網状面部が第１の網状面部４から二股に分かれる場合に限られるものではなく、第１の網状面部４から３つ以上の網状面部に分岐して延びるように、一体的に編み込まれている場合もあり得る。また、外縁部材２に用いる糸はポリエステル糸に限られるものではなく、その他の任意の天然素材、合成繊維等を用いることができ、太さも用途に応じて、任意の太さの糸を用いることができる。
【００１８】
図２に示すように、所定の長さの外縁部材２の第１の網状面部４がかつらベース２の基布Ｋの外縁部の上面側に取り付けられ、第２の網状面部６及び第３の網状面部８が外縁部から外側に延びるように配置される。ここで、基布Ｋの外縁部とは、基布Ｋの外縁近傍の領域であって、外縁部材２が取り付けられる領域を意味する。具体的には、基布Ｋの外縁から３〜１０ｍｍ程度の幅の領域を例示することができる。
基布Ｋの外縁部に取り付けられた外縁部材２には、網目が形成されているので、基布Ｋだけでなく、外縁部材２の網目のフィラメントに擬毛を結び付けることにより、外縁部材２にも擬毛を植設することができる（図１２参照）。
【００１９】
本実施形態では、第１の網状面部４が基布Ｋの外縁部に取り付けられ、第１の網状面部４に一体的に形成された第２の網状面部６及び第３の網状面部８が外縁部から外側に延びるように配置され、基布Ｋだけでなく、第１の網状面部４、第２の網状面部６及び第３の網状面部８のそれぞれに擬毛が植設される。基布Ｋには、第１の網状面部４だけが重なるので、基布Ｋの外縁近傍の厚みが増すことを抑制できる。更に、外縁部から外側に延びた、上下に配置される第２の網状面部６及び第３の網状面部８の各々に擬毛が植設されるので、自然な外観を得ることができる。特に、第２の網状面部６及び第３の網状面部８のうち、上側に配置された網状面部により、下側に配置された網状面部に植設された擬毛が持ち上がるのを抑えることができる。これにより、擬毛と自毛との間の毛割れを抑制して自然な外観を得ることができる。
【００２０】
以上のように、本実施形態により、かつらベースＷＢの基布Ｋの外縁部に取り付けられ、自毛と馴染んだ自然な外観が得られる外縁部材２を提供できる。
なお、図２では、第２の網状面部６が基布Ｋの上面側に配置されているが、これに限られるものではなく、第３の網状面部８が基布Ｋの上面側に配置される場合もあり得る。
【００２１】
（網目）
外縁部材２の第１の網状面部４、第２の網状面部６及び第３の網状面部８には網目が形成されているが、これらの網目について以下に詳細に説明する。
＜網目の色＞
外縁部材２の網目の色としては、取り付けられる基布Ｋと同様な色を用いることもできるし、植設する擬毛の色と同様な色を用いることもできる。更に、第１の網状面部４が基布Ｋの外縁部に取り付けられた状態において、第２の網状面部６及び第３の網状面部８のうち、装着者の頭皮側に配置される網状面部が装着者の肌の色に近い色を有するようにすることもできる。
このような配色により、かつらベースＷＢの外縁において、かつらを装着していることを露見しにくくすることができる。
【００２２】
＜第１の網状面部の網目及び第２、第３の網状面部の網目＞
かつらベースの基布Ｋの外縁部に取り付けられた第１の網状面部４に形成された網目の大きさと、基布Ｋの外縁部から外側に延びた第２の網状面部６及び前記第３の網状面部８に形成された網目の大きさとを異ならせることもできる。その場合、第１の網状面部４の網目の大きさが、第２の網状面部６及び前記第３の網状面部８の網目の大きさより、大きい場合もあり得るし、小さい場合もあり得る。
【００２３】
第1の網状面部４の網目の大きさが、第２の網状面部６及び前記第３の網状面部８の網目の大きさよりも大きい場合には、例えば、第1の網状面部４の網目の大きさを、基布Ｋの網目の大きさに合わせて、擬毛の植設を容易にすることができる。これとともに、基布Ｋの外縁部の外側に延びた第２の網状面部６及び前記第３の網状面部８の網目を密に配置することにより、最適な量の擬毛を最適な位置に植設することができる。
【００２４】
第1の網状面部４の網目の大きさが、第２の網状面部６及び前記第３の網状面部８の網目の大きさよりも小さい場合には、第1の網状面部４の網目を密に配置して、外縁部材２を基布Ｋにより堅固に取り付けることができる。これとともに、例えば、基布Ｋの外縁部の外側に延びた第２の網状面部６及び前記第３の網状面部８の網目の大きさを、基布Ｋの網目に合わせことにより、一体感のある自然な外観を得ることもできる。
【００２５】
以上のように、第１の網状面部４に形成された網目の大きさと、第２の網状面部６及び第３の網状面部８に形成された網目の大きさとが異なることにより、基布Ｋの網目や用途に応じて、最適な網目パターンを得ることができる。
【００２６】
＜第２の網状面部の網目及び第３の網状面部の網目＞
基布Ｋの外縁部の外側に延びた外縁部材２の第２の網状面部６に形成された網目及び第３の網状面部８の網目の大きさが異なるように形成することもできる。これにより、植設された擬毛が様々な方向に延びる自然な外観を得ることができる。
【００２７】
(第２の実施形態に係る外縁部材）
次に、図３、図４Ａ及び図４Ｂを参照ながら、本開示の第２の実施形態に係る外縁部材の説明を行う。図３は、本開示の第２の実施形態に係る外縁部材を模式的に示す斜視図である。図４Ａ及び４Ｂは、図３の矢視Ｂ−Ｂ側面図であって、外縁部材をかつらベースの基布に取り付けたところを模式的に示す図であり、特に、図４Ａは、幅の狭い第２の網状面部が基布の上面側に配置された場合を示し、図４Ｂは、幅の広い第３の網状面部が基布の上面側に配置された場合を示す。
【００２８】
本実施形態に係る外縁部材２’では、帯状の外縁部材２’の長手方向と略直交する幅方向において、第２の網状面部６’及び第３の網状面部８’の幅寸法が異なる点で、上記の第１の実施形態と異なる。
このとき、図４Ａに示す場合には、第１の網状面部４が基布Ｋの外縁部に取り付けられ状態において、第２の網状面部６’及び第３の網状面部８’のうち、装着者の頭皮側に配置される網状面部の幅寸法が反対側に配置された網状面部の幅寸法よりも大きく形成されている。
【００２９】
この場合には、下側の第３の網状面部８’が、上側の網状面部６’の先端から更に外側に延びているので、擬毛を植設した場合、徐々に毛量や毛の厚みが減っていく、生え際に対応した自然な外観を得ることができる。
【００３０】
一方、図４Ｂに示すように、第１の網状面部４が基布Ｋの外縁部に取り付けられ状態において、第２の網状面部６’及び第３の網状面部８’のうち、装着者の頭皮側に配置される網状面部の幅寸法が反対側の上側に配置された網状面部の幅寸法よりも小さく形成されている場合もある。この場合には、幅寸法が大きい上側に配置された網状面部により、下側に配置された網状面部に植設された擬毛が持ち上がるのを抑えることができる。これにより、擬毛と自毛との間の毛割れを抑制して自然な外観を得ることができる。
【００３１】
以上のように、長手方向と略直交する幅方向において、第２の網状面部６’及び第３の網状面部８’の幅寸法が異ならせることにより、用途や基布Ｋに応じた最適な配置が可能な外縁部材２を得ることができる。
なお、図３、図４Ａ及び４Ｂでは、第３の網状面部８’の幅寸法が第２の網状面部６’の幅寸法より大きく形成されているが、これに限られるものではなく、逆に、第２の網状面部６’の幅寸法が第３の網状面部８’の幅寸法より大きく形成されている場合もあり得る。
本実施形態に係る外縁部材２’は、網状面部が第１の網状面部４から二股に分かれる場合に限られるものではなく、第１の網状面部４から３つ以上の網状面部に分岐して延びるように、一体的に編み込まれている場合もあり得る。
【００３２】
(第３の実施形態に係る外縁部材）
次に、図５、図６を参照ながら、本開示の第３の実施形態に係る外縁部材の説明を行う。図５は、本開示の第３の実施形態に係る外縁部材を模式的に示す斜視図である。図６は、図５の矢視Ｃ−Ｃ側面図であって、外縁部材をかつらベースの基布に取り付けたところを模式的に示す図である。
【００３３】
本実施形態では、帯状の外縁部材１２の長手方向において、第２の網状面部１６及び第３の網状面部１８が交互に第１の網状面部１４から延びて形成されている点で、上記の第１及び第２の実施形態と異なる。なお、長手方向において、第２の網状面部１６及び第３の網状面部１８が交互に第１の網状面部１４から延びている場合であっても、図６から明らかなように、その手方向端部の側面視において、第１の網状面部１４、第１の網状面部１４から二股に分かれて延びた第２の網状面部１６及び第３の網状面部１８を有し、第１の網状面部１４、第２の網状面部１６及び第３の網状面部１８が一体的に形成されていると言える。また、帯状の外縁部材１２の長手方向と略直交する幅方向において、第２の網状面部１６及び第３の網状面部１８の幅寸法が、ほぼ同一に形成されている。
【００３４】
本実施形態では、第１の網状面部１４から交互に延びた第２の網状面部１６及び第３の網状面部１８に擬毛を植設することにより、様々な態様を有する自然な外観を得ることができる。特に、第１の網状面部１４、第２の網状面部１６及び第３の網状面部１８が一体的に形成されているので、継ぎ目等が存在せず、かつらを装着していることを露見しにくくすることができる。
(第４の実施形態に係る外縁部材）
次に、図７、図８Ａ及び図８Ｂを参照ながら、本開示の第４の実施形態に係る外縁部材の説明を行う。図７は、本開示の第４の実施形態に係る外縁部材を模式的に示す斜視図である。図８Ａ及び図８Ｂは、図７の矢視Ｄ−Ｄ側面図であって、外縁部材をかつらベースの基布に取り付けたところを模式的に示す図であり、特に、図８Ａは、幅の狭い第２の網状面部が基布の上面側に配置された場合を示し、図８Ｂは、幅の広い第３の網状面部が基布の上面側に配置された場合を示す。
【００３５】
本実施形態でも、上記の第３の実施形態と同様に、帯状の外縁部材１２’の長手方向において、第２の網状面部１６’及び第３の網状面部１８’が交互に第１の網状面部１４から延びて形成されている。更に、本実施形態では、外縁部材１２’の長手方向と略直交する幅方向において、第２の網状面部１６’及び第３の網状面部１８’の幅寸法は同一でなく、異なるように形成されている。
これにより、第１の網状面部１４から交互に延びた異なる幅の第２の網状面部１６及び第３の網状面部１８に擬毛を植設することにより、様々に変化した態様を有するより自然な外観を得ることができる。
【００３６】
(第５の実施形態に係る外縁部材）
次に、図９Ａ及び図９Ｂを参照ながら、本開示の第５の実施形態に係る外縁部材の説明を行う。図９Ａは、本開示の第５の実施形態に係る外縁部材の第１の例を模式的に示す斜視図であり、図９Ｂは、本開示の第５の実施形態に係る外縁部材の第２の例を模式的に示す斜視図である。
【００３７】
本実施形態では、上記の第３の実施形態と同様に、帯状の外縁部材２２（２２’）の長手方向において、第２の網状面部２６（２６’）及び第３の網状面部２８（２８’）が交互に第１の網状面部２４から延びて形成されている。更に、本実施形態では、第１の網状面部２４から交互に延びた第２の網状面部２６(２６’)及び第３の網状面部２８（２８’）の長手方向の寸法が、第１の網状面部２４から離れるにつれて小さくなるように形成されている。
【００３８】
具体的には、図９Ａに示す第１の例では、第２の網状面部２６及び第３の網状面部２８）が、第１の網状面部２４との接続部分を底辺とする三角形の形状を有している。図９Ｂに示す第２の例では、第２の網状面部２６’及び第３の網状面部２８’が、第１の網状面部２４から離れるにつれて狭まっていく曲線で囲まれた形状を有している。
何れの例においても、第１の網状面部２４が基布Ｋの外縁部に取り付けられた状態において、基布Ｋの外縁部から外側に延びた第２の網状面部２４（２４’）及び第３の網状面部２６（２６’）が、外側に進むにつれて狭まっていく形状を有する。よって、このような形状の第２の網状面部２４（２４’）及び第３の網状面部２６（２６’）に擬毛を植設することにより、より自然な外観を得ることができる。
【００３９】
(第６の実施形態に係る外縁部材）
次に、図１０、図１１Ａ、図１１Ｂ及び図１１Ｃを参照ながら、本開示の第６の実施形態に係る外縁部材の説明を行う。図１０は、本開示の第６の実施形態に係る外縁部材の第１の例を模式的に示す斜視図である。図１１Ａは、本開示の第６の実施形態に係る外縁部材の第１の例を模式的に示す平面図である。図１１Ｂは、本開示の第６の実施形態に係る外縁部材の第２の例を模式的に示す平面図である。図１１Ｃは、本開示の第６の実施形態に係る外縁部材の第３の例を模式的に示す平面図である。
【００４０】
本実施形態では、第２の網状面部３６及び第３の網状面部３８については、上記の第３の実施形態と同様に、帯状の外縁部材３２（３２’、３２’’）の長手方向において、交互に第１の網状面部３４（３４’、３４’’）から延びて形成されている。第２の網状面部３６及び第３の網状面部３８について別の表現をすれば、外縁部材３２（３２’、３２’’）の長手方向の所定の間隔で、第１の網状面部３４（３４’、３４’’）に繋がる側と反対側の端部から第１の網状面部３４（３４’、３４’’）との接続部まで切り込みが設けられていると言うことができる。
更に、本実施形態では、外縁部材３２（３２’、３２’’）の長手方向の所定の間隔で、第１の網状面部３４（３４’、３４’’）に、第２の網状面部３６及び第３の網状面部３８に繋がる側と反対側の端部から所定の長さの切り込みが設けられている。
【００４１】
図視した例では、切り込みが設けられた長手方向の間隔が、第２の網状面部３６及び第３の網状面部３８の設置間隔と一致して、第２の網状面部３６及び第３の網状面部３８の切り込み位置に対応して、第１の網状面部３４（３４’、３４’’）に切り込みが設けられている。ただし、これに限られるものではなく、第２の網状面部３６及び第３の網状面部３８に対応させずに、第１の網状面部３４（３４’、３４’’）に切り込みを設けることもできる。
【００４２】
図１０及び図１１Ａに示す第１の例では、第１の網状面部３４、第２の網状面部３６及び第３の網状面部３８について、外縁部材３２の長手方向に対して、略垂直な方向に切り込みが設けられている。これにより、第１の網状面部３４は、長手方向に延び、第２の網状面部３６及び第３の網状面部３８と繋がる第１部分３４Ａと、第１部分３４Ａに繋がる第２部分３４Ｂを有する。
【００４３】
図１１Ｂ及び図１１Ｃに示す第２及び第３の例では、第１の網状面部３４’（３４’’）だけでなく、第２の網状面部３６及び第３の網状面部３８についても、外縁部材３２の長手方向に対して、所定の角度だけ傾斜して切り込みが設けられている。これにより、第１の網状面部３４’（３４’’）は、長手方向に延び、第２の網状面部３６及び第３の網状面部３８と繋がる第１部分３４Ａ’（３４Ａ’’）と、第１部分３４Ａ’（３４Ａ’’）に繋がる第２部分３４Ｂ’（３４Ｂ’’）を有する。
図１１Ｂに示す第２の例では、特に、第１の網状面部４’の切り込みと、第２の網状面部３６及び第３の網状面部３８の切り込みが、所謂山形をなすように形成されている。図１１Ｃに示す第３の例では、第１の網状面部４’の切り込みと、第２の網状面部３６及び第３の網状面部３８の切り込みが同じ方向を向くように形成されている。
【００４４】
何れの例においても、第１の網状面部３４（３４’、３４’’）に切り込みが設けられているので、帯状の外縁部材３２（３２’、３２’’）を湾曲した領域に取り付けるとき、切り込みにより、湾曲部の外径側及び内径側の弧の長さの差を吸収することができるので、基布Ｋや外縁部材３２（３２’、３２’’）に捻れ等が生じるのを効果的に防ぐことができる。
【００４５】
（網目）
第１の実施形態の説明において、網目に関する様々な形態を説明したが、これらの網目に関する様々な形態は、第２、第３、第４、第５及び第６の実施形態においても同様に適用でき、同様な作用効果を奏する。また、装着者の頭皮側に配置される網状面部が装着者の肌の色に近い色を有するようにすることもできる。
【００４６】
（かつらベース、かつら）
図１２には、本開示の第１の実施形態に係る外縁部材２が取り付けられたかつらベースＷＢに擬毛Ｈが植設されて形成されたかつらＷを模式的に示す。図１２では、一例として、第１の実施形態に係る外縁部材２が取り付けられた場合を示しているが、これに限られるものではなく、第２〜第６の実施形態に係る外縁部材２’、１２、１２’、２２、２２’、３２、３２’、３２’’が取り付けられたかつらベースＷＢ及びかつらＷについても同様である。
このように形成されたかつらベース及びかつらＷは、上記の外縁部材２、２’、１２、１２’、２２、２２’、３２、３２’、３２’’と同様な作用効果を奏する。
【００４７】
以上のように、本開示の実施の形態を説明したが、本開示内容は構成の細部において変化してもよく、実施の形態における要素の組合せや順序の変化等は請求された本開示の範囲および思想を逸脱することなく実現し得るものである。
【符号の説明】
【００４８】
２、２’      外縁部材
４            第１の網状面部
６、６’      第２の網状面部
８、８’      第３の網状面部
１２、１２’  外縁部材
１４          第１の網状面部
１６、１６’  第２の網状面部
１８、１８’  第３の網状面部
２２、２２’  外縁部材
２４          第１の網状面部
２６、２６’  第２の網状面部
２８、２８’  第３の網状面部
３２、３２’、３２’’  外縁部材
３４、３４’、３４’’    第１の網状面部
３４Ａ、３４Ａ’        第１部分
３４Ｂ、３４Ｂ’        第２部分
３６          第２の網状面部
３８          第３の網状面部
Ｋ            基布
Ｎ            糸
Ｓ            
ＷＢ          かつらベース
Ｗ            かつら
Ｈ            擬毛
【要約】
【課題】  かつらベースの基布の外縁部に取り付けられ、自毛と馴染んだ自然な外観を得ることができる外縁部材、かつらベース、及びかつらを提供する。
【解決手段】  長手方向端部の側面視において、第１の網状面部４、第１の網状面部４から分岐して延びた第２の網状面部６及び第３の網状面部８を有し、第１の網状面部４、第２の網状面部６及び第３の網状面部８が一体的に形成された帯状の部材であって、第１の網状面部４がかつらベースの基布Ｋの外縁部に取り付けられ、第２の網状面部６及び第３の網状面部８が外縁部から外側に延びるように配置される外縁部材２，この外縁部材２が取り付けられたかつらベース、及びこのかつらベースに擬毛が植設されたかつらを提供する。
【選択図】  図２【図１】
0006731524.tif 000002
【図２】
0006731524.tif 000003
【図３】
0006731524.tif 000004
【図４Ａ】
0006731524.tif 000005
【図４Ｂ】
0006731524.tif 000006
【図５】
0006731524.tif 000007
【図６】
0006731524.tif 000008
【図７】
0006731524.tif 000009
【図８Ａ】
0006731524.tif 000010
【図８Ｂ】
0006731524.tif 000011
【図９Ａ】
0006731524.tif 000012
【図９Ｂ】
0006731524.tif 000013
【図１０】
0006731524.tif 000014
【図１１Ａ】
0006731524.tif 000015
【図１１Ｂ】
0006731524.tif 000016
【図１１Ｃ】
0006731524.tif 000017
【図１２】
0006731524.tif 000018